【誤訳訂正書】
【提出日】令和3年3月12日(2021.3.12)
【誤訳訂正１】
【訂正対象書類名】特許請求の範囲
【訂正対象項目名】全文
【訂正方法】変更
【訂正の内容】
【特許請求の範囲】
【請求項１】
荷電粒子マルチビーム処理装置（１）において、ターゲット（１６）上に所望のパターンを露光する露光パターンを計算する方法であって、粒子ビーム（Ｉｂ、５０）はパターン画定デバイス（４）に向けて照射し、該パターン画定デバイス（４）は、前記ターゲット上の画像領域内の複数の画素（ｐｘ）を露光することによって前記所望のパターンを描画するために、前記粒子ビームが貫通する複数のブランキングアパーチャ（２４、３３、４３）で構成されるアパーチャアレイ（２６）を備え、
前記パターン画定デバイスにおいて、前記複数のブランキングアパーチャ（２４、３３、４３）は、前記ブランキングアパーチャの相互の位置を画定する既定の配列で配置され、各ブランキングアパーチャは、各露光間隔中に前記ターゲット上に生成された相当するアパーチャ画像上に、各ブランキングアパーチャを通って露光する線量値に関して選択的に調節可能であり、前記線量値は離散グレースケールから選択された各値を有し、
前記所望のパターンの描画プロセス中に、一連の露光間隔（Ｔ１）が設けられ、各露光間隔で、前記ブランキングアパーチャが、前記ターゲット（１６）上へ写像されるため、相当する複数のアパーチャ画像（ｂ１、ｂｉ０、ｂｉ１）が生成され、
ｉ）前記ターゲット上の画像領域上に、グラフィカル表示（７２、１０１）として前記所望のパターンを与えることであって、前記グラフィカル表示（７２、１０１）は既定の画素間隔の解像度を有し、前記画素間隔は前記画像領域内の前記画素の近接する位置間の公称距離より大きい、所望のパターンを与えることと、
ｉｉ）畳み込みカーネル（９１、１１１）を与えることであって、前記カーネルは前記グラフィカル表示の要素から画素群へのマッピングを記述し、前記画素群は前記要素の公称位置を中心とする、畳み込みカーネル（９１、１１１）を与えることと、
ｉｉｉ）前記畳み込みカーネル（９１、１１１）による前記グラフィカル表示（７２、１０１）の畳み込みによって、前記多数の画素上で画定された画素ラスターグラフィックス（ｐｓ）として公称露光パターンを算出することであって、前記公称露光パターンは前記ターゲット上に公称線量分布を作成するのに適切である、公称露光パターンを算出することと、を含み、
前記畳み込みカーネルは、前記荷電粒子マルチビーム処理装置によってエミュレートされた参照描画装置の点広がり関数を表す、方法。
【請求項２】
前記描画プロセスによって、相互に重複するアパーチャ画像が生成され、前記アパーチャ画像は、前記ターゲット上に生成された近接するアパーチャ画像の画素位置間の距離（ｅ）の倍数である公称幅（ｂ）を有し、
ｉｖ）前記公称露光パターンから、アパーチャ画像の露光による前記描画プロセスによって前記所望のパターンを露光するのに適切な露光パターンを生成する、
さらなるステップを有する、請求項１に記載の方法。
【請求項３】
前記グラフィカル表示（７２、１０１）は、ラスター線間隔の解像度を有する参照ラスター上のラスターグラフィックスであり、前記ラスター線間隔は解像度の画素間隔として使用される、請求項１または２に記載の方法。
【請求項４】
前記グラフィカル表示（１６０）は、前記画像領域内の画素の近接する位置間の公称距離より大きいラスター線間隔の解像度を有する参照ラスター上のラスターグラフィックスに変換されるベクトルグラフィックスである、請求項１または２に記載の方法。
【請求項５】
ステップ（ｉｉｉ）の算出、および、存在する場合後続する算出は、リアルタイムで描画プロセス中に行われ、算出されるデータを永続的に記憶することなく、関連する算出を一時的に行う、請求項１〜４のうちいずれか一項に記載の方法。
【請求項６】
前記畳み込みカーネル（１１１、１５１、１５３）は、画素値の離散マトリックス（１１２、１５２）として表され、ステップｉｉｉの畳み込みは、離散畳み込みとして行われる、請求項１〜５のうちいずれか一項に記載の方法。
【請求項７】
前記畳み込みカーネルは、エミュレートされる参照描画装置の時間依存の描画性質に相応する時間依存性（ｆ（ｔ））を有する時間依存値を含む、請求項１〜６のうちいずれか一項に記載の方法。
【請求項８】
前記畳み込みカーネル（１５１、１５３）は、前記画像領域上の２つの主な方向に関して異方性を有する、請求項１〜７のうちいずれか一項に記載の方法。
【請求項９】
前記異方性カーネルは、前記ブランキングアパーチャによる前記ターゲット（１６）上への結像の異方性を補償するように構成される、請求項８に記載の方法。
【請求項１０】
ステップｉｉｉの前記畳み込みを、前記離散グレースケールの前記解像度よりも高い演算精度を有する演算値を使用して行う、請求項１〜９のうちいずれか一項に記載の方法。
【請求項１１】
２つ以上の畳み込みカーネルが使用され、各カーネルは、前記画像領域内の複数のサブ領域の中の対応するサブ領域上で、および／または、前記パターン画定デバイスにおいて存在する複数のアパーチャアレイからの対応するアパーチャアレイで使用される、請求項１〜１０のうちいずれか一項に記載の方法。
【請求項１２】
前記グラフィカル表示（７２、１０１）の解像度の画素間隔は、前記荷電粒子マルチビーム処理装置（１）によって生成された前記アパーチャ画像の公称画素間隔より大きい、請求項１〜１１のうちいずれか一項に記載の方法。
【請求項１３】
荷電粒子の構造化ビームによってターゲット（１６）を露光するための荷電粒子マルチビーム処理装置（１）であって、
照明システム（３）と、
パターン画定デバイス（４）と、
投影光学システム（５）と、を備え、
前記照明システム（３）は、前記荷電粒子のビームを作り、当該ビームを広範なビーム（Ｉｂ）にして前記パターン画定デバイス（４）を照射するように構成され、前記パターン画定デバイス（４）は、照射している前記ビームの形状を複数のサブビームで構成される構造化ビームにするように構成され、前記投影光学システム（５）は、前記パターン画定デバイスにおいて画定された前記ビーム形状の画像を前記ターゲット（１６）上に投影することで、前記ターゲット上の画像領域内に複数の画素（ｐｘ）を露光するように構成され、
前記パターン画定デバイス（４）は、サブビーム（５１、５２）を形成する複数のブランキングアパーチャ（２４、３３、４３）で構成されたアパーチャアレイ（２６）を備え、前記複数のブランキングアパーチャ（２４、３３、４３）は、前記複数のブランキングアパーチャの相互の位置を画定する既定の配列で配置され、各ブランキングアパーチャは、各露光間隔の間に前記ターゲット上に生成された相当するアパーチャ画像上に、各ブランキングアパーチャを通って露光する線量値に関して選択的に調節可能であり、前記線量値は離散グレースケールから選択された各値を有し、
前記所望のパターンの描画プロセス中に、一連の露光間隔（Ｔ１）が設けられ、各露光間隔で、前記ブランキングアパーチャが、前記ターゲット（１６）上へ写像されるため、相当する複数のアパーチャ画像（ｂ１、ｂｉ０、ｂｉ１）が生成され、
前記処理装置は、参照描画装置における所望のパターンの描画プロセスをエミュレートするように構成され、前記参照描画装置は、前記処理装置によって生成された前記アパーチャ画像の公称画素間隔より大きい画素間隔の解像度を有する点広がり関数を有し、前記所望のパターンを、前記処理装置によって描画可能な公称露光パターンに変換するために、請求項１〜１２のうちいずれか一項に記載の方法が使用される、荷電粒子マルチビーム処理装置（１）。